(57)【特許請求の範囲】
【請求項１】
筐体の上部を構成する上ケース、筐体の下部を構成する下ケース及び筐体の前面部を構成するフロントケースが一体化されて箱型の筐体全体が構成されたカード挿入口付電気機器であって、
前記フロントケースの前面部にスリット状に形成され、前記筐体に収容されるリーダ／ライタ部に装着されるカードが挿入されるカード挿入口と、
前記カードの挿入に応じて前記カード挿入口を開又は閉状態にする、前記カード挿入口より大きな長方形板であり、カードが挿入されていない状態ではバネ弾性により前記カード挿入口に押圧されて前記カード挿入口全体を閉状態にするシャッターと、
前記フロントケースと一体化された際の前記カード挿入口の方向に、前記シャッターの動作を妨げない長さを持って延びるように前記上ケースに一体形成され、前記カードの挿入方向に平行な上ガイド面を有する上ガイド板と、
前記フロントケースと一体化された際の前記カード挿入口の方向に、前記シャッターの動作を妨げない長さを持って延びるように前記下ケースに一体形成され、前記カードの挿入方向に平行な下ガイド面を有する下ガイド板とを有し、
前記上ガイド面及び下ガイド面は前記リーダ／ライタ部の厚さよりもやや広い幅を有するリーダ／ライタ収容空間を形成し、前記上ガイド板及び下ガイド板のそれぞれの先端部は、前記リーダ／ライタ収容空間の厚さよりも狭く、前記カードの厚さよりもやや広い幅のカードガイド用入口部を形成する
ことを特徴とするカード挿入口付電気機器。
【請求項２】
請求項１のカード挿入口付電気機器において、
前記シャッターは、前記カード挿入口の上側の長辺付近を回転軸として回扉し、
前記下ガイド板は、前記上ガイド板より、前記カード挿入口に近づくような長さを持って延びている
ことを特徴とするカード挿入口付電気機器。
【請求項３】
請求項２のカード挿入口付電気機器において、
前記上ガイド板の先端部は、この上ガイド面に直角で下向きに折り曲げられた断面鉤型をしており、
前記下ガイド板の先端部は、この下ガイド面に直角で上向きに折り曲げられ、更にこの下ガイド面に平行になるように折り曲げられた２段の断面鉤型をしている
ことを特徴とするカード挿入口付電気機器。
【請求項４】
請求項３記載のカード挿入口付電気機器において、
前記上ガイド板は、前記上ケースが前記フロントケースと一体化される際に、前記フロントケースと接触する前記上ケースの一辺から延びるように形成されており、
前記下ガイド板は、前記下ケースが前記フロントケースと一体化される際に、前記フロントケースと接触する前記下ケースの一辺から延びるように形成されている
ことを特徴とするカード挿入口付電気機器。
【発明の詳細な説明】
【０００１】
【発明の属する技術分野】
本発明は、カード挿入口付電気機器に関し、特に、カード挿入口の防塵性を向上させるためシャッターを備えたカード挿入口付電気機器に関する。
【０００２】
【従来の技術】
ディジタルタコメータ等、この種の電気機器は、情報記録媒体であるカードを挿入するためのカード挿入口をその前面に有しており、またこのカード挿入口に対して防塵性を目的としてシャッターが設けられている。更に挿入されたカードをリーダ／ライタ部にガイドするカードガイドも上記前面を構成するフロントケースのカード挿入口の内側に突出するように一体形成されている。しかしながら、このような構造にすることにより、カードガイドに対応するシャッターの一部に凹状の切り込みを入れざるを得なくなり、この凹状の切り込みとカードガイドとの間の隙間から、塵が筐体内部に侵入し、リーダ／ライタ部等の内装機器に悪影響を及ぼす可能性があった。この問題を図６〜図８を用いて説明する。
【０００３】
図６はこの種の電気機器の概観を示す斜視図である。図７は従来のカード挿入口付電気機器のフロントケースを裏側から見た平面図である。図８は、図７の従来のカード挿入口付電気機器において、シャッター開閉動作を説明するためのフロントケースの断面図である。特に、図８（Ａ）及び（Ｂ）はそれぞれ、シャッター閉状態及びシャッター開状態における断面図である。
【０００４】
図６に示すように、この種の電気機器としてディジタルタコメータを例に挙げて説明すると、このディジタルタコメータはフロントケース１０、上ケース２及び下ケース３により箱状の筐体全体の外形が構成されている。この筐体の内部には、情報記録媒体であるカード４用のカードリーダ／ライタ部等の製品内機が収容されている。なお、上記フロントケース１０、上ケース２及び下ケース３は例えば、プラスティックで形成される。なお、フロントケースは、従来例と後述の本発明の実施形態とはシャッターの構造が異なるので、従来例では参照番号１０、後述の本発明の実施形態では参照番号１を付している。また、上ケース及び下ケースの構造も従来例と後述の本発明の実施形態とは異なるが、図７及び図８の従来例の説明では、特に引用しないので、代表して参照番号２及び３を付している。
【０００５】
上記フロントケース１０の前面には、スイッチ１１、ディスプレイ１２、ランプ１３、カード挿入口１４及びイジェクトボタン１５等が配設されている。
スイッチ１１は例えば、終了スイッチ、切替スイッチ、Ａ、Ｂスイッチ等であり、これによりディジタルタコメータの立ち上げ、機能切替等が指令入力される。ディスプレイ１２は、運行情報等を表示する。ランプ１３は例えば、ＯＫ（正常）表示用ランプ、ＡＬＭ（警報）表示用ランプ、ＣＡＲＤ（カードデータ処理中）表示用ランプ等である。
カード挿入口１４は、フロントケース１０の前面部にスリット状に形成され、筐体内に収容されるリーダ／ライタ部に装着される上記カード４が図中矢印で示す方向から挿入される。そして、このカード挿入口１４は、ケース１４の前面部の裏側から、このカード挿入口１４を開又は閉状態にする後述するシャッター（不図示）により覆われている。そして、このカード挿入口１４に、挿入されたカードを取り出すためのイジェクトボタン１５が隣設されている。
【０００６】
図７の平面図に示すように、フロントケース１０の裏側の上長辺及び下長辺のやや内側には係止片１０１、１０２が設けられている。この係止片１０１、１０２の形状は図８の断面図でより明確になるが、これらの片１０１、１０２はフロントケース１０が上ケース２、下ケース３と一体化する際に利用されるものである。
また、上述したカード挿入口１４を裏側（この図に示す側）から覆うシャッター１０３が、開扉軸部１０５を軸にして開扉するように取り付けられている。このシャッター１０３は、カード４の挿入に応じてカード挿入口１４を開又は閉状態にするもので、カード挿入口１４より大きな長方形板であるが上述の切り込み（後述の凹部）を有している。そして、このシャッター１０３は、カード４が挿入されていない状態ではスプリング１０５のバネ弾性によりカード挿入口１４に押圧されてカード挿入口１４全体を閉状態にする。
カード挿入口１４の下長辺内側には、この挿入口１４に挿入されたカード４がリーダ／ライタ部にスムーズに装着できるようにガイドする２つのガイドリブ１０６、１０７が設けられている。そして、シャッター１０３が内側に回動する際にガイドリブ１０６、１０７に干渉しないように、ガイドリブ１０６、１０７に対応する凹部１０８、１０９がシャッター１０３の下長辺に設けられている。なお、上記シャッター１０３の開閉動作及びガイドリブ１０６、１０７の構造は、次の図８を用いた説明でより明確になる。
【０００７】
図８（Ａ）のシャッター閉状態における断面図に示すように、カード４が挿入されていない場合には、シャッター１０３はスプリング１０５のバネ弾性によりカード挿入口１４に押圧されている。一方、図８（Ｂ）のシャッター開状態における断面図に示すように、カード４が挿入されている場合には、シャッター１０３は上記開扉軸部１０４を回転軸として内側に回動する。この時、挿入されるカード４は上記ガイドリブ１０６、１０７にガイドされて、リーダ／ライタ部（不図示）に装着される。
【０００８】
【発明が解決しようとする課題】
しかしながら、上述したようなガイドリブ１０６、１０７は、フロントケース１０の裏側から突出するように一体形成しているため、ガイドリブ１０６、１０７はフロントケース１０の裏側表面に近くならざるを得ず、このため上述したようにシャッター１０３が内側に回動する際にガイドリブ１０６、１０７に干渉しないように、ガイドリブ１０６、１０７に対応する凹部１０８、１０９をシャッター１０３に設けなければならなくなる。
この結果、ガイドリブ１０６、１０７と、シャッター１０３に設けられた凹部１０８、１０９との間に隙間が発生してしまう。したがって、この隙間から塵が筐体に内部に侵入し、リーダ／ライタ部の動作に悪影響を及ぼす可能性がある。すなわち、従来装置によれば防塵構造が不完全である。上記ガイドリブ１０６、１０７に替えて、上記シャッター１０３の回動に干渉しないカードガイドをフロントケース１０の内側に別個に設ければよいが、このような新たな部品を起こすとコストアップを招いてしまう。
【０００９】
よって本発明は、上述した現状に鑑み、コストアップを抑えつつ、防塵性も向上させたカード挿入口付電気機器を提供することを課題としている。
【００１０】
【課題を解決するための手段】
上記課題を解決するためになされた請求項１記載のカード挿入口付電気機器は、図１〜５に示すように、筐体の上部を構成する上ケース２、筐体の下部を構成する下ケース３及び筐体の前面部を構成するフロントケース１が一体化されて箱型の筐体全体が構成されたカード挿入口付電気機器であって、前記フロントケース１の前面部にスリット状に形成され、前記筐体に収容されるリーダ／ライタ部６に装着されるカード４が挿入されるカード挿入口１４と、前記カード４の挿入に応じて前記カード挿入口１４を開又は閉状態にする、前記カード挿入口１４より大きな長方形板であり、カード４が挿入されていない状態ではバネ弾性により前記カード挿入口１４に押圧されて前記カード挿入口１４全体を閉状態にするシャッター１１０と、前記フロントケース１と一体化された際の前記カード挿入口１４の方向に、前記シャッター１１０の動作を妨げない長さを持って延びるように前記上ケース２に一体形成され、前記カード４の挿入方向に平行な上ガイド面を有する上ガイド板２０１と、前記フロントケース１と一体化された際の前記カード挿入口１４の方向に、前記シャッター１１０の動作を妨げない長さを持って延びるように前記下ケース３に一体形成され、前記カード４の挿入方向に平行な下ガイド面を有する下ガイド板３０１とを有し、前記上ガイド面及び下ガイド面は前記リーダ／ライタ部６の厚さよりもやや広い幅を有するリーダ／ライタ収容空間を形成し、前記上ガイド板２０１及び下ガイド板３０１のそれぞれの先端部は、前記リーダ／ライタ収容空間の厚さよりも狭く、前記カード４の厚さよりもやや広い幅のカードガイド用入口部を形成することを特徴とする。
【００１１】
請求項１記載の発明によれば、上記シャッター１１０は、カード挿入口１４に挿入されるカード４の挿入に応じてカード挿入口１４を開又は閉状態にする、カード挿入口１４より大きな長方形板である。このシャッター１１０は、カード４が挿入されていない状態ではバネ弾性によりカード挿入口１４に押圧されてカード挿入口１４全体を閉状態にする。また、リーダ／ライタ収容空間及びカードガイド用入口部を形成する上ガイド板２０１及び下ガイド板３０１はそれぞれ、上ケース２及び下ケース３に一体化されている。このように、上ガイド板２０１及び下ガイド板３０１を上ケース２及び下ケース３に一体化することにより、コストアップを抑えつつリーダ／ライタ収容部及びカードガイド用入口部を形成し、上記長方形板のシャッター１１０により、カード４が挿入されていない状態ではバネ弾性によりカード挿入口１４に押圧されてカード挿入口１４全体を閉状態にするので、装置内部、特にリーダ／ライタ部６に対して大幅に防塵性を向上させる。
【００１２】
上記課題を解決するためになされた請求項２記載のカード挿入口付電気機器は、図１〜５に示すように、請求項１のカード挿入口付電気機器において、前記シャッター１１０は、前記カード挿入口１４の上側の長辺付近を回転軸として回扉し、前記下ガイド板３０１は、前記上ガイド板２０１より、前記カード挿入口１４に近づくような長さを持って延びていることを特徴とする。
【００１３】
請求項２記載の発明によれば、特に図５を参照すればわかるように、カード挿入口１４の上側の長辺付近を回転軸として回扉すシャッター１１０の回動範囲を考慮して、下ガイド板３０１が、上ガイド板２０１より、カード挿入口１４に近づくような長さになるようにしている。このようにシャッター１１０の回動範囲に基づき上下ガイド板２０１及び３０１の長さを設定することにより、シャッター１１０の回動を妨げることなしに上下ガイド板２０１及び３０１がカード挿入口１４により近接するようになるので、カード挿入口１４から塵が侵入しにくくなると共にカード４のガイドもよりスムーズに行えるようになる。
【００１４】
上記課題を解決するためになされた請求項３記載のカード挿入口付電気機器は、図１〜５に示すように、請求項２のカード挿入口付電気機器において、前記上ガイド板２０１の先端部は、この上ガイド面に直角で下向きに折り曲げられた断面鉤型をしており、前記下ガイド板３０１の先端部は、この下ガイド面に直角で上向きに折り曲げられ、更にこの下ガイド面に平行になるように折り曲げられた２段の断面鉤型をしていることを特徴とする。
【００１５】
請求項３記載の発明によれば、上ガイド板２０１の先端部は、この上ガイド面に直角で下向きに折り曲げられた断面鉤型をしており、前記下ガイド板３０１の先端部は、この下ガイド面に直角で上向きに折り曲げられ、更にこの下ガイド面に平行になるように折り曲げられた２段の断面鉤型をしているので、防塵性及びカードガイドの円滑性が更に向上する。
【００１６】
上記課題を解決するためになされた請求項４記載のカード挿入口付電気機器は、図１〜５に示すように、請求項３記載のカード挿入口付電気機器において、前記上ガイド板２０１は、前記上ケース２が前記フロントケース１と一体化される際に、前記フロントケース１と接触する前記上ケース２の一辺から延びるように形成されており、前記下ガイド板３０１は、前記下ケース３が前記フロントケース１と一体化される際に、前記フロントケース１と接触する前記下ケース３の一辺から延びるように形成されていることを特徴とする。
【００１７】
請求項４記載の発明によれば、上ガイド板２０１は、上ケース２がフロントケース１と一体化される際に、フロントケース１と接触する上ケース２の一辺から延びるように形成されている。また、下ガイド板３０１も、下ケース３がフロントケース１と一体化される際に、フロントケース１と接触する下ケース３の一辺から延びるように形成されている。このように形成することにより、上及び下ガイド板２０１及び３０１をそれぞれ有する上及び下ケース２及び３の成形が容易になる。
【００１８】
【発明の実施の形態】
以下、本発明の実施の形態を図１〜図５、及び図６を用いて説明する。
上述の図６を用いて説明したように、本カード挿入口付電気機器はフロントケース１、上ケース２及び下ケース３により箱状の筐体全体の外形が構成された、例えばディジタルタコメータ等の電気機器である。この筐体の内部には、情報記録媒体であるカード４用のカードリーダ／ライタ部等の製品内機が収容されている。外観は、図６を用いて説明した通りであるので、ここでは説明を省略する。
【００１９】
図６の斜視図のような外観の本カード挿入口付電気機器のフロントケース１に関して図１を用いて説明する。図１（Ａ）及び（Ｂ）はそれぞれ、本発明のカード挿入口付電気機器の一実施形態におけるフロントケースの正面図及びＡＡ断面図である。
【００２０】
図１（Ａ）の正面図に示すように、上記フロントケース１の前面には、スイッチ１１Ａ〜Ｄ、ディスプレイ１２、ランプ１３Ａ〜Ｃ、カード挿入口１４及びイジェクトボタン１５等が配設されている。
スイッチ１１Ａは終了スイッチ、スイッチ１１Ｂはディスプレイ１２上の表示内容を切り替えたり、時計設定時に使用される切替スイッチ、そしてスイッチ１１Ｃ、１１Ｄは機能切替や時計設定時に使用されるＡ、Ｂスイッチである。これらによりディジタルタコメータの立ち上げ、機能切替等が指令入力される。ディスプレイ１２は、時計、運行情報等を表示する。ランプ１３Ａは機器が正常に動作している時に点灯するＯＫランプ、ランプ１３Ｂはカードの容量不足等の警報をするために点滅、点灯するＡＬＭランプ、ランプ１３Ｃはカードデータの処理中に点灯するＣＡＲＤ（カードデータ処理中）ランプである。
【００２１】
カード挿入口１４は、フロントケース１の前面部にスリット状に形成され、筐体内に収容されるリーダ／ライタ部に装着される上記カード４が図中矢印で示す方向から挿入される。そして、このカード挿入口１４は、ケース１の前面部の裏側から、このカード挿入口１４を開又は閉状態にする後述するシャッター１１０により覆われている。そして、このカード挿入口１４に、挿入されたカード４を取り出す際に押下されるイジェクトボタン１５が隣設されている。
【００２２】
図１（Ｂ）の断面図に示すように、カード４が挿入されていない場合には、シャッター１１０は図７で示したようなスプリング１０５のバネ弾性によりカード挿入口１４に押圧されている。本カード挿入口付電気機器のシャッター１１０は、図７で示したシャッター１０３に対して、下長辺の凹部１０８、１０９が設けられていない長方形状をしている。その他の構造は、図７で示したシャッター１０３と同様なので、ここでは説明を省略する。このシャッター１１０の開閉動作は、後述の図５を用いた説明で明確になる。
【００２３】
次に図２〜図４を用いて、本発明のカード挿入口付電気機器の一実施形態を更に説明する。図２（Ａ）及び（Ｂ）はそれぞれ、本発明のカード挿入口付電気機器の一実施形態における上ケースの正面図及びＢＢ断面図である。図３（Ａ）及び（Ｂ）はそれぞれ、本発明のカード挿入口付電気機器の一実施形態における下ケースの正面図及びＣＣ断面図である。図４（Ａ）及び（Ｂ）はそれぞれ、本発明カード挿入口付電気機器に関する製品内機の例を示す正面図及びＤＤ断面図である。
【００２４】
図２（Ａ）及び（Ｂ）に示すように、上ケース２は箱形筐体の上半分を形成する。フロントケース１及び下ケース３と一体化される際に接触する面は開口している。その底面には４つのボス２０２〜２０５、及び６つのネジ受部２０６〜２１１が設けられている。
そして、上ケース２がフロントケース１と一体化される際に、フロントケース１と接触する上ケース２の一辺からは、カード４の幅に対応した幅を有する上ガイド板２０１が、カード挿入口１４の方向に延びるように一体形成されている。上ガイド板２０１の長さは、シャッター１１０の開閉動作を妨げないように設定されている。また、上ガイド板２０１は、カード４の挿入方向に平行な上ガイド面を有する。更に、上ガイド板２０１の先端部は、この上ガイド面に直角で下向きに折り曲げられた断面鉤型をしている。一体化された際の上ガイド板２０１と後述する下ガイド板３０１との位置関係、及びこの上ガイド板２０１とシャッター１１０との位置関係は、後述の図５を用いた説明で明らかになる。
【００２５】
図３（Ａ）及び（Ｂ）に示すように、下ケース３は箱形筐体の下半分を形成する。フロントケース１及び上ケース２と一体化される際に接触する面は開口している。その底面には次の図４で示す回路基板５上のネジ孔５０２〜５０５に対応する４つのネジ受部３０２〜３０５が設けられている。
そして、下ケース３がフロントケース１と一体化される際に、フロントケース１と接触する下ケース３の一辺からは、カード４の幅に対応した幅を有する下ガイド板３０１が、カード挿入口１４の方向に延びるように一体形成されている。下ガイド板３０１の長さも、シャッター１１０の開閉動作を妨げないように設定されている。また、下ガイド板３０１は、カード４の挿入方向に平行な下ガイド面を有する。更に、下ガイド板３０１の先端部は、この下ガイド面に直角で上向きに折り曲げられ、更にこの下ガイド面に平行になるように折り曲げられた２段の断面鉤型をしている。一体化された際の下ガイド板３０１と後述する上ガイド板２０１との位置関係、及びこの下ガイド板３０１とシャッター１１０との位置関係は、後述の図５を用いた説明で明らかになる。
【００２６】
図２及び図３で示したように、上ガイド板２０１は、上ケース２がフロントケース１と一体化される際に、フロントケース１と接触する上ケース２の一辺から延びるように形成されている。また、下ガイド板３０１も、下ケース３がフロントケース１と一体化される際に、フロントケース１と接触する下ケース３の一辺から延びるように形成されている。このように形成することにより、各ガイド板２０１及び３０１をそれぞれ有する上及び下のケース２及び３の成形が容易になるので、筐体を成形する際のコスト削減の一助となる。
【００２７】
図４（Ａ）及び（Ｂ）に示すように、本カード挿入口付電気機器には、例えば、リーダ／ライタ部６やその他の実装部品５０６〜５０９が実装された回路基板５、及びリーダ／ライタ部６や実装部品５０６〜５０９に電気的に接続されると共に回路基板５にネジ止めされる金板７が内装される。回路基板５には、上記下ケース３の４つのネジ受部３０２〜３０５に対応した４つのネジ孔５０２〜５０５が設けられており、これらを介して回路基板５及びこれに搭載されるリーダ／ライタ部６等は筐体内の所定位置に装着される。装着されると、リーダ／ライタ部６がフロントケース１のカード挿入口４に対応し、かつイジェクトスイッチ６０１がイジェクトボタン１５に対応するようになる。
【００２８】
更に、図５を用いてシャッター開閉動作について説明する。図５（Ａ）及び（Ｂ）はそれぞれ、本発明のカード挿入口付電気機器の実施形態におけるシャッター閉状態及びシャッター開状態における断面図である。
図５（Ａ）及び（Ｂ）に示すように、上記上ガイド板２０１の上ガイド面及び下ガイド板３０１の下ガイド面は、リーダ／ライタ部６の厚さよりもやや広い幅を有するリーダ／ライタ収容空間を形成している。上ガイド板２０１及び下ガイド板３０１のそれぞれの先端部は、リーダ／ライタ部６の厚さよりは狭く、カード４の厚さよりもやや広い幅のカードガイド用入口部を形成している。そして、下ガイド板３０１は、上ガイド板２０１より、カード挿入口４に近づくような長さを持って延びている。回路基板５上に搭載されたリーダ／ライタ部６は、上述のようなリーダ／ライタ収容空間に装着されて筐体内の所定位置に固定される。
また上ガイド板２０１の先端部は、上記上ガイド面に直角で下向きに折り曲げられた断面鉤型をしており、下ガイド板３０１の先端部は、上記下ガイド面に直角で上向きに折り曲げられ、更に下ガイド面に平行になるように折り曲げられた２段の断面鉤型をしている。したがって、防塵性及びカードガイドの円滑性を向上させる効果が得られる。
【００２９】
フロントケース１が上ケース２及び下ケース３に一体化される際、フロントケース１の係止片１０１及び１０２それぞれが、上ケース２の溝２１２及び下ケース３の溝３０６に係合する。ここでは図示されない各係止片及び溝も同様に係合する。なお、他の参照番号は図１〜図４で付したものと同等のものであるのでここでは説明を省略する。
【００３０】
シャッター１１０は、図５（Ａ）及び（Ｂ）を比較すればわかるように、カード挿入口４の上側の長辺付近に設けられた開扉軸部１０５（図７参照）を回転軸として回扉する。図５（Ａ）のシャッター閉状態における断面図に示すように、カード４が挿入されていない場合には、シャッター１１０はスプリング１０５のバネ弾性によりカード挿入口１４に押圧されている。一方、図５（Ｂ）のシャッター開状態における断面図に示すように、カード４が挿入されている場合には、シャッター１１０は上記開扉軸部１０４を回転軸として内側に回動する。この時、カード４はまず上記カードガイド用入口部を形成する下ガイド板３０１及び上ガイド板２０１の先端部にガイドされて、上記リーダ／ライタ収容空間に装着されているリーダ／ライタ部６に挿入される。
【００３１】
カード挿入口１４の上側の長辺付近を回転軸として回扉するシャッター１１０の回動範囲（図中、点線で示す）を考慮して、下ガイド板３０１が、上ガイド板２０１より、カード挿入口１４に近づくような長さになるようにしている。このようにシャッター１１０の回動範囲に基づき上下ガイド板２０１及び３０１の長さを設定することにより、シャッター１１０の回動を妨げることなしに上下ガイド板２０１及び３０１がカード挿入口１４により近接するようになるので、カード挿入口１４から塵が侵入しにくくなると共にカード４のガイドもよりスムーズに行えるようになる。
【００３２】
以上説明したように、本実施形態によれば、上ガイド板２０１及び下ガイド板３０１を上ケース２及び下ケース３に一体化することにより、コストアップを抑えつつリーダ／ライタ収容部及びカードガイド用入口部を形成している。また、カード挿入口１４より大きな長方形板のシャッター１１０により、カード４が挿入されていない状態ではバネ弾性によりカード挿入口１４に押圧されてカード挿入口１４全体を閉状態にするので、装置内部、特にリーダ／ライタ部６に対して大幅に防塵性を向上させることができるようになる。すなわち、本実施形態によれば、コストアップを抑えつつ、防塵性も向上させたカード挿入口付電気機器が得られる。
【００３３】
【発明の効果】
以上説明したように、請求項１記載の発明によれば、上ガイド板２０１及び下ガイド板３０１を上ケース２及び下ケース３に一体化することにより、コストアップを抑えつつリーダ／ライタ収容部及びカードガイド用入口部を形成し、かつ上記長方形板のシャッター１１０により、カード４が挿入されていない状態ではバネ弾性によりカード挿入口１４に押圧されてカード挿入口１４全体を閉状態にするので、装置内部、特にリーダ／ライタ部６に対して大幅に防塵性を向上させることができるようになる。
【００３４】
請求項２記載の発明によれば、特に図５を参照すればわかるように、カード挿入口１４の上側の長辺付近を回転軸として回扉すシャッター１１０の回動範囲を考慮して、下ガイド板３０１が、上ガイド板２０１より、カード挿入口１４に近づくような長さになるようにしている。このようにシャッター１１０の回動範囲に基づき上下ガイド板２０１及び３０１の長さを設定することにより、シャッター１１０の回動を妨げることなしに上下ガイド板２０１及び３０１がカード挿入口１４により近接するようになるので、カード挿入口１４から塵が侵入しにくくなると共にカード４のガイドもよりスムーズに行えるようになる。
【００３５】
請求項３記載の発明によれば、上ガイド板２０１の先端部は、この上ガイド面に直角で下向きに折り曲げられた断面鉤型をしており、前記下ガイド板３０１の先端部は、この下ガイド面に直角で上向きに折り曲げられ、更にこの下ガイド面に平行になるように折り曲げられた２段の断面鉤型をしているので、請求項２で記載した防塵性及びカードガイドの円滑性を更に向上させる効果が得られる。
【００３６】
請求項４記載の発明によれば、上ガイド板２０１は、上ケース２がフロントケース１と一体化される際に、フロントケース１と接触する上ケース２の一辺から延びるように形成されている。また、下ガイド板３０１も、下ケース３がフロントケース１と一体化される際に、フロントケース１と接触する下ケース３の一辺から延びるように形成されている。このように形成することにより、上及び下ガイド板３０１をそれぞれ有する上及び下のケースの成形が容易になる。すなわち、請求項４記載の発明によれば、請求項１〜３記載の効果を有するカード挿入口付電気機器の筐体を成形する際のコスト削減の一助となる効果が得られる。
【図面の簡単な説明】
【図１】図１（Ａ）及び（Ｂ）はそれぞれ、本発明のカード挿入口付電気機器の一実施形態におけるフロントケースの正面図及びＡＡ断面図である。
【図２】図２（Ａ）及び（Ｂ）はそれぞれ、本発明のカード挿入口付電気機器の一実施形態における上ケースの正面図及びＢＢ断面図である。
【図３】図３（Ａ）及び（Ｂ）はそれぞれ、本発明のカード挿入口付電気機器の一実施形態における下ケースの正面図及びＣＣ断面図である。
【図４】図４（Ａ）及び（Ｂ）はそれぞれ、本発明カード挿入口付電気機器に関する製品内機の例を示す正面図及びＤＤ断面図である。
【図５】図５（Ａ）及び（Ｂ）はそれぞれ、本発明のカード挿入口付電気機器の実施形態におけるシャッター閉状態及びシャッター開状態における断面図である。
【図６】この種の電気機器の概観を示す斜視図である。
【図７】従来のカード挿入口付電気機器のフロントケースを裏側から見た平面図である。
【図８】図８（Ａ）及び（Ｂ）はそれぞれ、従来のカード挿入口付電気機器においてシャッター閉状態及びシャッター開状態における断面図である。
【符号の説明】
１  フロントケース
２  上ケース
３  下ケース
１４  カード挿入口
１１０  シャッター
２０１  上ガイド板
３０１  下ガイド板
【図１】
0003730517.tif 000002
【図２】
0003730517.tif 000003
【図３】
0003730517.tif 000004
【図４】
0003730517.tif 000005
【図５】
0003730517.tif 000006
【図６】
0003730517.tif 000007
【図７】
0003730517.tif 000008
【図８】
0003730517.tif 000009